(57)【要約】【課題】  複数のレンズモジュールを簡単な構造で組み付けることのできるよう、構造の改善されたデュアルレンズ組立体およびそれを備える映像撮影装置を提供する。【解決手段】  機器内で所定の機能を行う基板と、基板に結合される第１レンズユニットと、基板に結合し、第１レンズユニットと同一方向に映像を取得する第２レンズユニットと、を含むことを特徴とするデュアルレンズ組立体およびそれを備える。【選択図】      図２
2007013927.tif 000002
【特許請求の範囲】
【請求項１】
機器内で所定の機能を行う基板と、
前記基板に結合される第１レンズユニットと、
前記基板に結合し、前記第１レンズユニットと同一方向に映像を取得する第２レンズユニットとを含むことを特徴とするデュアルレンズ組立体。
【請求項２】
前記第１および第２レンズユニットそれぞれの光軸を連結する仮想の基準線が前記基板の平面について交差すべく前記第１および第２レンズユニットが配置されたことを特徴とする請求項１に記載のデュアルレンズ組立体。
【請求項３】
前記基準線と前記基板の平面がなしている鋭角が４０°ないし５０°であることを特徴とする請求項２に記載のデュアルレンズ組立体。
【請求項４】
前記第１レンズユニットが、
高画質の映像を撮影するために使用される第１レンズモジュールと、
前記第１レンズモジュールを取り囲むレンズホルダと、
前記基板に結合し、前記レンズホルダと前記第１レンズモジュールを保持する第１保持ブラケットとを含むことを特徴とする請求項１に記載のデュアルレンズ組立体。
【請求項５】
前記第２レンズユニットが、
前記第１レンズモジュールより低い画質の映像を撮影するために使用される第２レンズモジュールと、
前記第２レンズモジュールを前記基板と前記第１レンズユニットそれぞれに保持させるための第２保持ブラケットとを含むことを特徴とする請求項４に記載のデュアルレンズ組立体。
【請求項６】
前記第２保持ブラケットが、前記第２レンズモジュールにネジ結合される第１締結孔と、前記レンズホルダにネジ結合される第２締結孔、および前記基板にネジ結合される第３締結孔と、を有することを特徴とする請求項５に記載のデュアルレンズ組立体。
【請求項７】
前記第１レンズユニットが前記第２レンズユニットより低い位置に設けられることを特徴とする請求項１に記載のデュアルレンズ組立体。
【請求項８】
前記第１レンズユニットの光軸が、前記基板の平面について所定の距離離隔されて前記第１レンズユニットが位置することを特徴とする請求項１に記載のデュアルレンズ組立体。
【請求項９】
前記第１および第２レンズユニットの光軸が、前記基板を隔てて離隔し位置されることを特徴とする請求項８に記載のデュアルレンズ組立体。
【請求項１０】
前記第１および第２レンズユニットが、前記基板を隔てて互いに反対方向に設けられ、相互上下に位置することを特徴とする請求項１に記載のデュアルレンズ組立体。
【請求項１１】
機器本体と、
前記機器本体内で所定機能を行う基板と、
前記基板に結合される第１レンズユニットと、
前記基板に結合し、前記第１レンズユニットと同一方向に映像を取得する第２レンズユニットとを含むことを特徴とする映像撮影装置。
【請求項１２】
前記第１および第２レンズユニットそれぞれの光軸を連結する仮想の基準線が前記基板の平面について交差すべく前記第１および第２レンズユニットが配置されたことを特徴とする請求項１１に記載の映像撮影装置。
【請求項１３】
前記基準線と前記基板の平面がなしている鋭角が４０°ないし５０°であることを特徴とする請求項１２に記載の映像撮影装置。
【請求項１４】
前記第１レンズユニットが、
高画質の映像を撮影するために使用される第１レンズモジュールと、
前記第１レンズモジュールを取り囲むレンズホルダと、
前記基板に結合し、前記レンズホルダと前記第１レンズモジュールを保持する第１保持ブラケットとを含むことを特徴とする請求項１１に記載の映像撮影装置。
【請求項１５】
前記第２レンズユニットが、
前記第１レンズモジュールより低画質の映像を撮影するために使用される第２レンズモジュールと、
前記第２レンズモジュールを前記基板と前記第１レンズユニットそれぞれに保持させるための第２保持ブラケットとを含むことを特徴とする請求項１４に記載の映像撮影装置。
【発明の詳細な説明】
【技術分野】
【０００１】
本発明は、動画および静画が撮影できるよう２つの独立的なレンズモジュールを有するデュアルレンズ組立体およびそれを備えた映像撮影装置に関する。
【背景技術】
【０００２】
一般にデジタルスチルカメラ（ＤＳＣ）は、レンズを介して入射される映像をデジタル信号に変換しハードディスクまたはメモリカードのような記録媒体に保存する。即ち、撮影された映像をフィルムなどに記録せず、前記記録媒体に保存しコンピュータにデジタルイメージを入力する。係るデジタルスチルカメラは、コンピュータとの互換性が高いことから、編集および修正が簡単であり、また取った映像を外部コンピュータに接続し伝送することができる。ところが、係るデジタルスチルカメラは、映像を記録する記録媒体の容量などの理由で静画撮影に使われている。即ち、一部の動画を撮影する機能は有しているものの、長時間撮影することは実際のところ不可能である。特に、動画を撮影し、再生時に音響を共に記録し再生する装置が加えて備えていなければ正常な動画撮影はできないことから、実質的に動画を撮影し保存および再生するには不適である。従って、動画を撮影するためには、テープのような記録媒体に撮影される被写体の画像及び音響などを記録および再生する記録／再生装置、例えば、カムコーダーが幅広く普及されている。
【０００３】
前述のカムコーダーは主にカセットテープを記録媒体として使用し、そのカセットテープをデッキ装置に装着して撮影された動画を記録する。また、カムコーダーはマイク装置とスピカ装置とが備えられている。係るカムコーダーも静画を撮影する機能を有しているが、前述したデジタルカメラの画質に比べてその画質が落ちることから主に動画撮影に使用されている。そして、カムコーダーはデジタルスチルカメラより多機能で複雑な構成を有するので、割合に体積が大きく、且つ高価であるのが一般的である。
【０００４】
ところで、今まで述べた通りに、デジタルスチルカメラとカムコーダーそれぞれの機能を活用するためには２つの製品それぞれを購入しなければならない。従って、経済的に負担がかかり、また、２つの製品を全て携帯しなければならない不都合がある。よって、最近には前述した問題点を補完するために、デジタルスチルカメラとコムコーダー機能、即ち、静画および動画を撮影する装置が１つの製品に採用されることでユーザが選択的に使用できる製品、例えばデュアルカムが開発され市販されている。
【０００５】
前述したデュアルカムの場合、異なる画素数を有する２つのレンズモジュールをそれぞれ備える。即ち、割合に高い画素数を有するレンズモジュールを用いてスチル映像を撮影し、割合に低い画素数を有するレンズモジュールを用いて動画を撮影する。そして、それぞれのレンズモジュールで撮影される静画あるいは動画をハードディスクやメモリのような媒体に保存できる映像撮影装置が開発されつつある。
【０００６】
ところで、係るデュアルカムの場合、２つの機能を１つの製品に適用することから、製品のサイズが増大し、またその構造が複雑にならざるを得ない。よって、製品の小型化および構造の単純化による生産性の構造に対する関心が高められている。
【発明の開示】
【発明が解決しようとする課題】
【０００７】
本発明は前述した問題点を解決するために案出されたもので、本発明の目的は、複数のレンズモジュールを簡単な構造で組立てることのできる、構造の改善されたデュアルレンズ組立体、およびそれを備える映像撮影装置を提供することにある。
【課題を解決するための手段】
【０００８】
前述した目的を達成するために、本発明の映像撮影装置は、機器内で所定の機能を行う基板と、前記基板に結合される第１レンズユニットと、前記基板に結合し、前記第１レンズユニットと同一方向に映像を取得する第２レンズユニットと、を含む。
【０００９】
ここで、前記第１および第２レンズユニットそれぞれの光軸を連結する仮想の基準線が前記基板の平面について交差すべく前記第１および第２レンズユニットが配置されたことが好ましい。
【００１０】
また、前記基準線と前記基板の平面がなしている鋭角が４０°ないし５０°であることが好ましい。
【００１１】
また、前記第１レンズユニットが、高画質の映像を撮影するために使用される第１レンズモジュールと、前記第１レンズモジュールを取り囲むレンズホルダと、前記基板に結合し、前記レンズホルダと前記第１レンズモジュールを保持する第１保持ブラケットと、を含むことが好ましい。
【００１２】
また、前記第２レンズユニットが、前記第１レンズモジュールより低い画質の映像を撮影するために使用される第２レンズモジュールと、前記第２レンズモジュールを前記基板と前記第１レンズユニットそれぞれに保持させるための第２保持ブラケットと、を含むことが好ましい。
【００１３】
また、前記第２保持ブラケットが、前記第２レンズモジュールにネジ結合される第１締結孔と、前記レンズホルダにネジ結合される第２締結孔、および前記基板にネジ結合される第３締結孔と、を有することがよい。
【００１４】
また、前記第１レンズユニットが前記第２レンズユニットより低い位置に設けられることが好ましく、前記第１レンズユニットの光軸が、前記基板の平面について所定の距離離隔されて前記第１レンズユニットが位置することが好ましい。
【００１５】
また、前記第１および第２レンズユニットの光軸が、前記基板を隔てて離隔し位置されることが好ましい。
【００１６】
また、前記第１および第２レンズユニットが、前記基板を隔てて互いに反対方向に設けられ、相互上下に位置することが好ましい。
【００１７】
また、前述の目的を達成するための本発明の映像撮影装置は、機器本体と、
前記機器本体内で所定機能を行う基板と、前記基板に結合される第１レンズユニットと、前記基板に結合し、前記第１レンズユニットと同一方向に映像を取得する第２レンズユニットと、を含むことを特徴とする。
【発明の効果】
【００１８】
本発明に係るデュアルレンズ組立体およびそれを備えた映像撮影装置によると、２つのレンズユニットを基板の基準面について所定の角度交差する斜線方向に配置し組み付けることによって、セットの全体的なサイズを減らし、機器内の空間を減らし得る。
【００１９】
また、１つの基板に第１および第２レンズユニットそれぞれを組み付けることによって、部品の数を最小化し、また、組み付け工程を短縮できる。従って、製品の生産性構造を図り、コスト節減に繋がる。
【発明を実施するための最良の形態】
【００２０】
以下、添付の図面に基づいて本発明の好適な実施形態を詳述する。
【実施例】
【００２１】
図１および図２に示すように、本発明の実施形態に係る映像撮影装置は、機器本体１０、該機器本体１０内に設けられるデュアルレンズ組立体１００を備えてなる。デュアルレンズ組立体１００は、基板２０、該基板２０に結合する第１レンズユニット３０および第２レンズユニット４０を備える。
【００２２】
機器本体１０内には、図示されていないデータ保存媒体が設けられる。この保存媒体には、第１および第２レンズユニット３０、４０から撮影された映像データが保存される。また、機器本体１０の外側には第１および第２レンズユニット３０、４０を介して取得された映像をディスプレーするためのディスプレーパネル１１が開閉自在に連結されている。
【００２３】
基板２０は、第１および第２レンズユニット３０、４０それぞれと電気的に接続され、各レンズユニット３０、４０の駆動を制御し、撮影された映像情報が伝達され処理を行う役割をする。係る基板２０はプレート形状であり、その平面２１が垂直をなすよう立てられた状態で機器本体１０内に設けられている。そして、基板２０には多数の電子部品が設けられ、第１および第２レンズユニット３０、４０と、その他の機能部品およびケーブルにより連結される複数のコネクタ２２，２３，２４を有する。
【００２４】
第１レンズユニット３０は、高画質の映像、即ち、高画素数を有するＣＣＤを採用し、通常、静画を撮影するために使用されるデジタルスチルカメラレンズ（ＤＳＣ−ｌｅｎｓｅ）であることが好ましい。このような第１レンズユニット３０は第１レンズモジュール３１、レンズモジュール３１を取り囲んで保持するレンズホルダ３３、レンズホルダ３３と第１レンズモジュール３１を基板２０に結合させるための第１保持ブラケット３５を備える。
【００２５】
第１レンズモジュール３１はほぼ円筒状のハウジング３１ａを有する。このハウジング３１ａの内部にはレンズが設けられている。そして、第１レンズモジュール３１の前方からレンズホルダ３３がハウジング３１ａの外側に設けられる。第１レンズモジュール３１の後方には、図示されないＣＣＤ（電荷結合素子）およびＣＣＤ基板などが結合される。そして、第１レンズモジュール３１の後方にはネジ結合される結合孔３１ｃを有する結合部３１ｂが備えられている。この結合部３１ｂはハウジング３１ａと一体に形成されるか、別の部品で備えられてネジによりハウジング３１ａと結合されることができる。そして、第１レンズモジュール３１の外側には、内部のレンズを駆動するための駆動モータ３４が設けられている。
【００２６】
レンズホルダ３３は、ハウジング３１ａの外側を取り囲むよう結合するパイプ型胴体３３ａと、該胴体３３ａの外側で一体形成された第１ネジ結合部３３ｂおよび第２ネジ結合部３３ｃを有する。第１ネジ結合部３３ｂは、結合部３１ｂの結合孔３１ｃに対応すべく備えられる。従って、第１ネジ結合部３３ｂには第１保持ブラケット３５および結合孔３１ｃを通過したネジ３６がネジ結合されることによって、第１レンズモジュール３１とレンズホルダ３３、および第１保持ブラケット３５が一緒に締結されることができる。
【００２７】
第１保持ブラケット３５は、ネジ３６が結合されるように結合３１ｃに対応して備えられた複数の第１ネジ孔３５ａと、基板２０に結合されるネジ３７が通過する複数の第２ネジ孔３５ｂを有する。第２ネジ孔３５ｂが形成された部分は、基板２０と並ぶよう第１保持ブラケット３５で折曲形成される。このような第１保持ブラケット３５は金属材質からなることが好ましい。
【００２８】
前述した構成を有する第１レンズユニット３０は、そのレンズを通過する光の光軸（ｘ１）が基板２０の平面２１と所定の距離離隔された状態で並んで配置される。本発明の実施形態では、第１レンズユニット３０は機器本体１０の正面、即ち、被写体の方向から基板の左側に配置される。
【００２９】
第２レンズユニット４０は、第２レンズモジュール４１、該第２レンズモジュール４１を基板２０と第１レンズユニット３０に保持させるための第２保持ブラケット４３を備えてなる。
【００３０】
第２レンズモジュール４１は第１レンズモジュール３１より低い画質、即ち、割合に少ない画素数で映像撮影するのに使用されるが、この時ハウジング４１ａの前方にレンズ４１ｂが備えられ、ハウジング４１ａ内部にも図示されないレンズが設けられる。
【００３１】
ハウジング４１ａの一方にはネジ４５が結合される締結ボス４１ｃが備えられる。そしてハウジング４１ａの後方にはＣＣＤ４２を駆動させるためのＣＣＤ基板４４が結合されている。ＣＣＤ基板４４には基板２０に備えられたコネクタ２２と結合されるコネクタ４４ａが備えられる。
【００３２】
第２保持ブラケット４３はほぼＬ状で形成され、詳細には、第２保持ブラケット４３は、水平部４３ａと垂直部４３ｂを有する。垂直部４３ｂの上端には第２レンズモジュール４１の締結ボス４１ｃにネジ結合する第１締結孔（Ｈ１）が形成される。そして、水平部４３ａには基板２０にネジ結合するための第２締結孔（Ｈ２）と、レンズホルダ３３の第２ネジ結合部３３ｃにネジ結合するための第３ネジ締結孔（Ｈ３）が形成される。従って、第２保持ブラケット４３は第２レンズモジュール４１、レンズホルダ３３、および基板２０に同時に結合することによって、結果的には第１および第２レンズユニット３０、４０を基板２０について一緒に固定することができる。
【００３３】
前述した構成を有する第２レンズユニット４０の場合、光軸（ｘ２）が基板２０の平面２１および光軸（ｘ１）についても所定の距離並んで離隔される位置に配置する。詳細には、第２レンズユニット４０は、基板２０の右側に設けられることによって、基板２０を挟んで第１レンズユニット３０と互いに反対側に設けられる。そして、第２レンズユニット４０は第１レンズユニット３０より上部に位置する。詳細には、２つの軸（ｘ１、ｘ２）を連結する仮想の基準線（Ｌ）が基板２０の平面２１、即ち、平面２１と並んだ基準面（Ａ）いついて所定の角度交差すべく、第１および第２レンズユニット３０、４０が配置される。また、基準線（Ｌ）と基準面（Ａ）がなしている鋭角（θ）が約４０°ないし５０°であることがよく、好ましくは本発明の実施形態のように前記鋭角は４５°をなして配置する。
【００３４】
基準線（Ｌ）と基準面（Ａ）との間の鋭角（θ）が約４５°内外になるよう第２レンズユニット４０を第１レンズユニット３０の上部に設けると、基準面（Ａ）と並んだ方向の全体幅を減らすことができる。従って、機器の小型化が図れる。即ち、機器の特性上、略直六面体で本体１０を形成する場合、第１および第２レンズユニット３０、４０が本体１０の縁側に沿って配置されることによって、本体１０内の空間を効率よく使用しながらも、左右および上下の幅を最小化できる。
【００３５】
前述の構成を有する本発明の実施形態に係る映像撮影装置の組立方法について詳説すると次のとおりである。
【００３６】
まず、第１レンズユニット３０と第２レンズユニット４０のいずれか１つを先に組み付ける。第１レンズユニット３０の場合、図３に示すように、レンズホルダ３３を第１レンズモジュール３１に組み付ける。それから、第１保持ブラケット３５を第１レンズモジュール３１の後方に位置させ、レジ３６を用いてレンズホルダ３３と第１レンズモジュール３１および第１保持ブラケット３５を組み付ける。このようにすると第１レンズユニット３０の組み付けが完了する。もちろん、第１保持ブラケット３５を組み付ける前に、第１レンズモジュール３１の後方には結合部３１ａとＣＣＤ（図示せず）を順次組み付ける。
【００３７】
次に、第２レンズユニット４０の場合、図４を参考すると、第２レンズモジュール４１にＣＣＤ４２とＣＣＤ基板４４を順次組み付ける。それから、第２保持ブラケット４３をネジ４５を用いて第２レンズモジュール４１に組み付ける。このようにすると第２レンズユニット４０の組み付けが完了する。
【００３８】
組み付けが完了された第２レンズユニット４０を基板２０にネジ４６を用いて組み付ける。即ち、ネジ４６を第２保持ブラケット４３の第２締結孔（Ｈ２）を通過させて基板２０にネジ結合させる。そして、ＣＣＤ基板４４のコネクタ４４ａを基板２０のコネクタ２２に結合させる。すると、図５に示すように、第２レンズユニット４０と基板２０との組み付けが完了される。
【００３９】
次に、図６に参照して説明すると、その組み付けの完了された第１レンズユニット３０を基板２０に組み付ける。詳細には、第１保持ブラケット３５の第２ネジ孔３５ｂにネジ３７を通過させて基板２０にネジ結合させることによって、第１レンズユニット３０を基板２０に組み付ける。
【００４０】
前述した状態で、第２保持ブラケット４３をレンズホルダ３３にネジ４８を利用して締結すると、デュアルレンズ組立体１００の機構的な組立が完了される。
【００４１】
前述のデュアルレンズ組立体１００を組み付けてからは、基板２０と第１および第２レンズユニット３０、４０それぞれを信号ケーブルなどを用いて信号および電源が伝達されるよう接続する。
【００４２】
以上、図面に基づいて本発明の好適な実施形態を図示および説明してきたが本発明の保護範囲は、前述の実施形態に限定するものではなく、特許請求の範囲に記載された発明とその均等物にまで及ぶものである。
【図面の簡単な説明】
【００４３】
【図１】本発明の映像撮影装置を概略的に示す正面図である。
【図２】図１に図示されたデュアルレンズ組立体の分解斜視図である。
【図３】図２に図示された第１レンズユニットの組立状態を示す斜視図である。
【図４】図２に図示された第２レンズユニットの組立状態を示す斜視図である。
【図５】基板に組立てられた第２レンズユニットの斜視図である。
【図６】基板に組立てられたデュアルレンズ組立体の斜視図である。
【符号の説明】
【００４４】
１０            機器本体
２０            基板
３０、４０      第１および第２レンズユニット
３１、４１      第１おおび第２レンズモジュール
３３            レンズホルダ
３５            第１保持ブラケット
４３            第２保持ブラケット
１００          デュアルレンズ組立体
【図１】
2007013927.tif 000003
【図２】
2007013927.tif 000004
【図３】
2007013927.tif 000005
【図４】
2007013927.tif 000006
【図５】
2007013927.tif 000007
【図６】
2007013927.tif 000008